(57)【要約】【課題】  普段は通常の車椅子として使用することができ、災害発生などの緊急時には緊急時の応急のトイレとして使用することが可能な車椅子を提供する。【解決手段】  通常は、開閉部１４６は閉じられており、その上に上側シート１４２を重ねた状態で使用する。一方、車椅子１００をトイレとして使用するときは、上側シート１４２を取り外すとともに、下側シート１４４の開閉部１４４Ａを図示のように開くようにする。そして、排泄物の収容袋１５０を取り出して、シート開口から下方に設けるとともに、凝固剤や脱臭剤を投入することで、臨時のトイレとして使用することができる。使用後は、収容袋１５０を、更に市販の防臭袋に入れて処分する。【選択図】図１
2019193739.tif 000002
【特許請求の範囲】
【請求項１】
使用者が座る座面に、上側シートと下側シートとが重ねられており、
前記下側シートに、大便用の開口を形成する開閉部が、開閉自在に設けられており、
排泄物を収容するための収容袋が用意されており、
排泄時には、前記上側シートを取り外すとともに、前記開閉部を開き、これによってできた開口に排泄物を収容するための収容袋を取り付けるようにしたことを特徴とする車椅子。
【請求項２】
使用者が座る座面に、上側シートと下側シートとが重ねられており、
排泄された小便を収容するための排泄容器と収容袋が用意されており、
排泄時には、前記上側シートの後ろ側を吊り上げるとともに、前側に前記排泄容器及び収容袋を設置するようにしたことを特徴とする車椅子。
【請求項３】
使用者が座る座面のフレーム上に、窪み防止枠が設けられており、
該窪み防止枠上に、左右のアームサポートから座面を覆う下側シートを設けるとともに、
該下側シートの中央付近に、排泄用の開口が設けられており、
通常時は、前記下側シートの上に、前記開口を覆うように、上側シートが重ねられており、
排泄時は、前記上側シートを取り外すとともに、前記開口に排泄物を収容するための収容袋を取り付けて固定手段で固定するようにしたことを特徴とする車椅子。
【請求項４】
前記下側シートの前側に、小便を収容するための排泄容器と収容袋を設置するための取付口を設けたことを特徴とする請求項３記載の車椅子。
【請求項５】
前記座面の下に、車椅子のフレームがあるときは、該フレームを避けるように、前記開口を設けることを特徴とする請求項１又は３記載の車椅子。
【請求項６】
前記車椅子に座った使用者を、車椅子ごとカバーで覆うようにしたことを特徴とする請求項１〜５のいずれか一項に記載の車椅子。
【発明の詳細な説明】
【技術分野】
【０００１】
本発明は、トイレとしても使用することができる車椅子に関するものであり、特に災害発生時に好適な車椅子のトイレ機能の改良に関するものである。
【背景技術】
【０００２】
車椅子のトイレ機能に関する背景技術としては、例えば、下記特許文献１〜３に記載の者がある。これらのうち、特許文献１には、排泄排尿時に、肘掛けと上肢により身体を支えながら臀部を浮かし、座席を後方に移動させ、座席の下部に装着されている便器を出現させるようにしたトイレ機能付き車椅子が開示されている。下記特許文献２には、車いすのシート部を開閉自在にし、シート部の左右のフレーム上に排泄用穴を施した台座を設け、前記台座の上に便座を設けるようにした車いす用簡易携帯トイレが開示されている。
【０００３】
ところで、災害発生時での緊急避難は、「着のみ着のまま」の状態での避難を余儀なくされる。車椅子利用者が平常使用するトイレを持っての避難はあり得ないし、防災避難袋を所持する事さえ忘れてしまうことがある。しかし、介護者がいれば、車椅子には乗って避難する。
【０００４】
一般的に、若い人でも１日４〜８回以上、高齢者は１日１５回以上排尿が必要とされている。このため、緊急避難時に車椅子利用者が使用できるトイレも必要であるが、避難所には車椅子利用者が使用できるトイレはない。してみると、車椅子利用者の緊急時のトイレ問題解消策として、平素から使用している車椅子を簡易トイレとして利用できれば好都合である。
【０００５】
一方、平素利用している車椅子をトイレ使用とする場合、以下のような課題がある。
ａ，車椅子は、一般的に折り畳み式のため、座席（座面）は「ビニール」や「布」が使用されている。このため、座ったときに、お尻の部分が窪むようになる。まして、この座面に、様式トイレのような穴を開けると、更に凹むようになる。
ｂ，この状態で特に女性が排尿を行うと、尿が肛門のほうに向かって流れることがある。災害発生時の避難所では、お風呂に入ることも難しいことから、改善できれば好都合である。
【０００６】
東日本大震災の避難所で被災者を悩ませた最大の問題はトイレであった。特に、避難女性のトイレ問題は深刻で、トイレ回数を減らすため、食事や水分を制限しながらの避難生活から、体調を崩した女性が続出し、災害時での避難生活の課題が大きく問題視された。しかし、この避難生活者の中に、車椅子利用者の姿は見られない。これは、車椅子利用者が少ないという理由だけでなく、車いす利用者の使用できるトイレがないことから、避難所での生活ができなかったためである。
【０００７】
一方、国が災害時に車椅子利用者の避難対象者数として計上している要支援者数は全国で７１４万人いる。この要支援者数約７１４万人の方々は、今後起こり得る南海トラフ地震を初め、上越地震や再度の東日本地震の発生時に、車椅子で使用できるトイレがないと、避難したくても避難することができない。国も、この問題に苦慮し、全国の自治体に車椅子利用者の避難方法の企画書の提出を求めているが、企画書の提出はまだ一割にも満たない状況である。
【先行技術文献】
【特許文献】
【０００８】
【特許文献１】特開2007-111155公報
【特許文献２】特開2002-177332公報
【特許文献３】実用新案登録第3184393号公報
【発明の概要】
【発明が解決しようとする課題】
【０００９】
以上のように、車椅子をトイレとして利用する場合、車椅子は、折り畳み式のため、座席（座面）は布，ビニール等々の素材を使用していることから、座ったときにお尻の部分が窪むことになる。お尻が下がった状態では、上手く排尿することは困難である。また、災害発生などの緊急時には、避難所等でトイレが不足することがあり、代用品があれば好都合である。
【００１０】
本発明は、以上のような点に着目したもので、普段は通常の車椅子として使用することができ、災害発生などの緊急時には緊急時の応急のトイレとして使用可能な車椅子を提供することを、その目的とする。
【課題を解決するための手段】
【００１１】
本発明の車椅子は、使用者が座る座面に、上側シートと下側シートとが重ねられており、前記下側シートに、大便用の開口を形成する開閉部が、開閉自在に設けられており、排泄物を収容するための収容袋が用意されており、排泄時には、前記上側シートを取り外すとともに、前記開閉部を開き、これによってできた開口に排泄物を収容するための収容袋を取り付けるようにしたことを特徴とする。
【００１２】
他の発明の車椅子は、使用者が座る座面に、上側シートと下側シートとが重ねられており、排泄された小便を収容するための排泄容器と収容袋が用意されており、排泄時には、前記上側シートの後ろ側を吊り上げるとともに、前側に前記排泄容器及び収容袋を設置するようにしたことを特徴とする。
【００１３】
更に他の発明の車椅子は、使用者が座る座面のフレーム上に、窪み防止枠が設けられており、該窪み防止枠上に、左右のアームサポートから座面を覆う下側シートを設けるとともに、該下側シートの中央付近に、排泄用の開口が設けられており、通常時は、前記下側シートの上に、前記開口を覆うように、上側シートが重ねられており、排泄時は、前記上側シートを取り外すとともに、前記開口に排泄物を収容するための収容袋を取り付けて固定手段で固定するようにしたことを特徴とする。主要な形態の一つによれば、前記下側シートの前側に、小便を収容するための排泄容器と収容袋を設置するための取付口を設けたことを特徴とする。
【００１４】
更に他の車椅子は、前記いずれかの車椅子であって、前記座面の下に、車椅子のフレームがあるときは、該フレームを避けるように、前記開口を設けたことを特徴とする。更には、前記車椅子に座った使用者を、車椅子ごとカバーで覆うようにしたことを特徴とする。本発明の前記及び他の目的，特徴，利点は、以下の詳細な説明及び添付図面から明瞭になろう。
【発明の効果】
【００１５】
本発明によれば、排泄時には、座面の上側シートを取り外すとともに、下側シートの開閉部を開き、これによってできた開口に排泄物を収容するための収容袋を取り付けるようにする。あるいは、排泄時には、前記上側シートの後ろ側を吊り上げるとともに、前側に小便の排泄容器及び収容袋を設置することとしたので、普段は通常の車椅子として使用することができ、災害発生などの緊急時には緊急時の応急のトイレとして使用することが可能となる。
【図面の簡単な説明】
【００１６】
【図１】本発明の実施例１の車椅子を示す図である。
【図２】本発明の実施例２の車椅子を示す図である。
【図３】本発明の実施例３の車椅子を示す図である。
【図４】本発明の実施例４の車椅子を示す図である。
【図５】本発明の実施例５の車椅子を示す図である。
【発明を実施するための形態】
【００１７】
以下、本発明を実施するための形態を、実施例に基づいて詳細に説明する。
【実施例１】
【００１８】
最初に、図１を参照しながら、本発明の実施例１について説明する。図１(A)には、本実施例の車椅子１００が示されている。同図において、全体を支持するフレーム１０２の側面には、大径のハンドリム付き駆動輪１１０及び小径の前輪（キャスタ）１１２が、それぞれ左右一対設けられており、前側には、レッグサポート１２０，一対のフットサポート１２２がそれぞれ設けられている。また、使用者が腰掛ける座面１３０には、側面にアームサポート１３２が一対設けられており、背面には、バックサポート１３４，左右一対の手押しハンドル１３６が、それぞれ設けられている。他に、ブレーキや、サイドガードなどが設けられている（図示せず）。これらの構成は、一般的な車椅子と同様である。
【００１９】
ところで、本実施例では、前記座面１３０のシートが、上側シート１４２と、下側シート１４４によって構成されており、下側シート１４４には、トイレの便座と同様の形状の開閉部１４４Ａが形成されている。開閉部１４４Ａは、周縁部１４４Ｂに対してファスナーや面ファスナーによって開閉自在となっている。また、座面１３０の裏側やアームサポート１３２の下側などの適宜部位に、排泄物の収容袋１５０や凝固剤，脱臭剤が収納されている。上側シート１４２と下側シート１４４は、例えば、ボタン，面ファスナーなどの適宜の手段で重ねて固定されている。
【００２０】
通常は、開閉部１４６は閉じられており、その上に上側シート１４２を重ねた状態で使用する。一方、車椅子１００をトイレとして使用するときは、上側シート１４２を取り外すとともに、下側シート１４４の開閉部１４４Ａを図示のように開くようにする。そして、排泄物の収容袋１５０を取り出して、シート開口から下方に設けるとともに、凝固剤や脱臭剤を投入することで、臨時のトイレとして使用することができる。使用後は、収容袋１５０を、更に市販の防臭袋に入れて処分する。
【００２１】
以上のように、本実施例によれば、車椅子１００をトイレとして使用することができるので、災害時などにおける障碍者用の応急のトイレとして好適である。もちろん、普段から車椅子１００を使用しない健常者も緊急時にトイレとして使用してもよい。
【００２２】
同図(B)の車椅子１６０は、同図(A)の変形例であり、シート１７０の上側シート１７２と、下側シート１７４の両方に、開閉部１７２Ａ，１７４Ａを設けたものである。前記実施例によれば、トイレとして使用するときは上側シート１４２を取り外すが、本実施例では、開閉部１７２Ａ，１７４Ａの両方を空ければよい。
【実施例２】
【００２３】
次に、図２を参照しながら、本発明の実施例２について説明する。本実施例は、特に小便の特化したトイレの例である。本実施例の車椅子２００では、シート２１０の上下シート２１２，２１４のうち、上側シート２１２の後ろ側が左右のアームサポート１３２に紐２１２Ａで上側に吊り上げられるようになっている。一方、前側には、排泄物の収容容器２２０と収容袋２２１が設けられており、いずれも、折り曲げ可能なシート２２２に取り付けられている。シート２２２は、座面の裏側に折り曲げて収納されている。
【００２４】
本実施例を小便用のトイレとして使用するときは、上側シート２１２の後ろ側を図示のように紐２１２Ａで吊り上げるとともに、座面の裏側から収容容器２２０及び収容袋２２１１を取り出して設置するようにする。上側シート２１２の後ろ側が吊り上げられているので、利用者は前屈みの姿勢となることから、小水が収容容器２２０内に収容できる。なお、女性の場合は、必要であれば、同図(C)に示すような市販の漏斗状の排尿デバイス２２４を使用するとよい。なお、紐２１２Ａの代わりに、ボタンなど、他の手段を用いてもよい。また、上側シート２１２を折り曲げ、これを座面の後ろ側に置いて、結果的に前屈みの姿勢となるようにしてもよい。
【００２５】
以上のように、実施例１は大便用、実施例２は小便用とすることで、
ａ，車椅子を利用して、大便及び小便の両方に利用することができる。
ｂ，災害などの緊急避難時における車椅子利用者のトイレ対策として有効である。
ｃ，特に、女性の小便用として配慮されており、排尿に伴う悪影響が低減される。
ｄ，収容袋や収容容器などを車椅子の座面下などに常時保管しておけばよく、平素の車椅子利用に影響しない。
【実施例３】
【００２６】
次に、図３を参照して、本発明の実施例３について説明する。本実施例は、車椅子の全体を覆うようにした例である。同図(A)の例は、車椅子３００のフレーム３０２に各一対の延長ロッド３０４，３０６を設け、これらにカバー３０８をかけるようにしている。本例の延長ロッド３０４，３０６は、車椅子３００に座った使用者を全体として覆う高さとなっている。カバー３０８の前側を開くことで、使用者が車椅子３００に座ることができる。
【００２７】
同図(B)の例は、前側の延長ロッド３１４が、同図(A)の延長ロッド３０４よりも短くなっており、車椅子３００に座った使用者の肩の高さ程度となっている。また、後ろ側の延長ロッドは設けられておらず、手押しハンドル３１６が利用される。すなわち、カバー３１８は、延長ロッド３０４と、手押しハンドル３１６に掛けられており、使用者の肩から下を覆うようになっている。
【実施例４】
【００２８】
次に、図４を参照しながら、本発明の実施例４について説明する。本実施例では、車椅子４００の折り畳み可能なフレーム４０２の座面下に、窪み防止枠４１０を設けたものである。窪み防止枠４１０は、前方に向かって開いたＵ字状枠４１２を、左右方向の３つの支持枠４１４で支持した構造となっている。この窪み防止枠４１０の上に、下側シート４２０が取り付けられる。
【００２９】
下側シート４２０は、一方のアームサポート４０２から窪み防止枠４１０に至り、更に他方のアームサポート４０６に至る部分を覆っており、左右のアームサポート４０２，４０６に巻回してボタン，ファスナー，面ファスナーなどの適宜の手段で固定される固定部４２２，４２４を備えている。また、座面部４２６には、排便用の開口４２８が設けられており、この開口４２８の周囲において、排便用の収容袋４３０の開口部分がドットボタン（ホックボタン）４３２で固定されている。座面部４２６の前側には、小便用の収納容器４５０の取付口４５２が設けられており、座面部４２６には、上側シート４６０が重ねられ、ドットボタン４６２で着脱自在に取り付けられるようになっている。そして、上側シート４６０を座面部４２６に重ねたときは、取付口４５２が上側シート４６０によって隠れるようになっている。なお、収納容器４５０は、図２(C)と同様の構成となっている。
【００３０】
次に、本実施例の作用を説明すると、通常は、下側シート４２０をフレーム４０２に取り付けるとともに、下側シート４２０の座面部４２６を上側シート４６０で覆って、これに使用者が座る。次に、大便を排泄するときは、上側シート４６０を外すとともに、下側シート４２０の開口４２８に収容袋４３０を取り付けて、ドットボタン４３２で固定する。このようにすることで、排便可能となる。排便後は、ドットボタン４３２を外して収容袋４３０を取り出すとともに、凝固剤や脱臭剤を投入し、防臭袋に入れて処分する。一方、小便を排泄するときは、取付口４５２に小便用の収納容器４５０を取り付けるようにする。
【００３１】
以上のように、下側シート４２０を、アームサポート４０４，４０６によって支持するとともに、窪み防止枠４１０を設けることしたので、座面部４２６に座ったときの窪みの程度が低減されるようになる。このため、図２に示したような上側シートの後ろ側を上側に吊り上げなくても、良好に排尿することができる。
【実施例５】
【００３２】
次に、図５を参照しながら、本発明の実施例５について説明する。まず、同図(A)の例から説明すると、車椅子５００のフレーム５０２は、折り畳み可能となっており、座面５１０の下の中央にもフレーム部材５０４が存在することがある。このため、中央のフレーム部材５０４によって、排泄物の収容袋の設置が妨げられるようになる。そこで、本実施例では、大便用の開口５１２と、小便用の開口５１４を、フレーム部材５０４を挟んで、前後にそれぞれ設けている。同図(B)の車椅子６００では、前側に一つの開口５１４を設けている。なお、図示の例では、開口５１２，５１４の形状としては、四角形のみならず、楕円などの他の形状としてよい。
【００３３】
なお、本発明は、上述した実施例に限定されるものではなく、本発明の要旨を逸脱しない範囲内において種々変更を加えることができる。例えば、以下のものも含まれる。
(1)車椅子の構造としては、各種のものが知られており、公知の構造が適用可能である。
(2)前記実施例では、排泄物の収容袋１５０を開いてシート開口に取り付けることとしたが、収容容器を座面１３０の下に用意し、これに収容袋１５０を取り付けるようにしてもよい。
(3)前記実施例を組み合わせるようにしてもよい。
【産業上の利用可能性】
【００３４】
本発明によれば、排泄時には、座面の上側シートを取り外すとともに、下側シートの開閉部を開き、これによってできた開口に排泄物を収容するための収容袋を取り付けるようにする。あるいは、排泄時には、前記上側シートの後ろ側を吊り上げるとともに、前側に小便の排泄容器及び収容袋を設置することとしたので、普段は通常の車椅子として使用することができ、災害発生などの緊急時には緊急時の応急のトイレとして使用することが可能となることから、緊急時の応急トイレとして好適である。
【符号の説明】
【００３５】
１００：車椅子
１０２：フレーム
１１０：駆動輪
１２０：レッグサポート
１２２：フットサポート
１３０：座面
１３２：アームサポート
１３４：バックサポート
１３６：ハンドル
１４２：上側シート
１４４：下側シート
１４４Ａ：開閉部
１４４Ｂ：周縁部
１４６：開閉部
１５０：収容袋
１６０：車椅子
１７０：シート
１７２：上側シート
１７２Ａ，１７４Ａ：開閉部
１７４：下側シート
２００：車椅子
２１０：シート
２１２：上側シート
２１２Ａ：紐
２１４：下側シート
２２０：収容容器
２２１：収容袋
２２２：シート
２２４：排尿デバイス
３００：車椅子
３０２：フレーム
３０４，３０６：延長ロッド
３０８：カバー
３１４：延長ロッド
３１６：ハンドル
３１８：カバー
４００：車椅子
４０２：フレーム
４０４，４０６：アームサポート
４１０：窪み防止枠
４１２：Ｕ字状枠
４１４：支持枠
４２０：下側シート
４２２，４２４：固定部
４２６：座面部
４２８：開口
４３０：収容袋
４３２：ドットボタン
４５０：収納容器
４５２：取付口
４６０：上側シート
４６２：ドットボタン
５００：車椅子
５０２：フレーム
５０４：フレーム部材
５１０：座面
５１２，５１４：開口
６００：車椅子
【図１】
2019193739.tif 000003
【図２】
2019193739.tif 000004
【図３】
2019193739.tif 000005
【図４】
2019193739.tif 000006
【図５】
2019193739.tif 000007